(57)【要約】【課題】単一のスイッチにより、モード切替の作動を感触的に通知し、ポップアップ機構のロック解除をすることなくモード切替操作ができ、また、モード切替操作を他の操作部材の力量と合わせ、カメラ全体の操作感を統一する。【解決手段】押圧操作部材２１が移動して、初期位置からモード切替位置のときにモードスイッチ２４はオンする。これを使用者に通知するため、クリック部材２３のバネ部２３ａにより、押圧操作部材２１を介して使用者の押圧力に抗した一時的な負荷（係止状態）を加える。この一時的係止状態によりクリック感として感触的に通知する。また、使用者に通知するクリック感として、他の操作キーと同等の操作感を得られるようにし、カメラ全体として統一した操作感を与える。この押圧操作部材２１を介したクリック感により使用者は作動タイミングを確認でき、ポップアップ機構は作動させずにモードスイッチ２４のみを作動させることができる。【選択図】図７
2010181781.tif 000002
【特許請求の範囲】
【請求項１】
ストロボ発光部を収納状態から突出状態へと移動するポップアップ機構と、前記ストロボ発光部を突出状態とするために収納状態から解除するロック解除機構と、前記ストロボ発光部が突出状態とされたことを検知する検知スイッチと、前記ストロボ発光部の発光方法を選択切り替えるモードスイッチと、第１の位置において前記モードスイッチ作動させ、第２の位置においてロック解除機構を作動させる単独の押圧操作部材と、前記モードスイッチが作動する第１の位置で前記押圧操作部材を一時的係止状態とするクリック部材とを備え、
前記モードスイッチが作動状態となったことを前記一時的係止状態とすることで使用者に通知することを特徴とするカメラ。
【請求項２】
前記押圧操作部材を第１の位置とするときの押圧力および移動量が、当該カメラに設けられた他機能の操作部材の押圧力および移動量と同一となるようにしたことを特徴とする請求項１記載のカメラ。
【請求項３】
前記押圧操作部材が第２の位置でロック解除機構を作動させ、検知スイッチがストロボ発光部の突出状態を検知したとき、第１の位置でのモードスイッチの作動を所定期間無効とする機能を備えたことを特徴とする請求項１または２記載のカメラ。
【請求項４】
前記押圧操作部材が第２の位置へ移動することなく、第１の位置でのモードスイッチの作動が可能であり、内部ストロボ発光部の発光方法を選択切り替えることを特徴とする請求項１〜３のいずれか１項に記載のカメラ。
【請求項５】
前記押圧操作部材が第２の位置へ移動することなく、第１の位置でのモードスイッチの作動が可能であり、外部ストロボ発光部の発光方法を選択切り替えることを特徴とする請求項１〜４のいずれか１項に記載のカメラ。
【請求項６】
請求項１〜５のいずれか１項に記載のカメラの構造が、カメラボディと撮像ユニットが着脱自在な構造体であることを特徴とするカメラ。
【請求項７】
前記カメラボディに撮像ユニットが装着されている状態において、前記撮像ユニットがストロボ発光部の下方に配置されることを特徴とする請求項６記載のカメラ。
【発明の詳細な説明】
【技術分野】
【０００１】
本発明は、カメラ本体に設けられた収納部から出し入れ自在な発光部を有するカメラに関するものである。
【背景技術】
【０００２】
この種の発光部（ストロボ）を内蔵するカメラとして、発光部を収納部から出し入れするための手動スイッチを備えたものが知られている。この手動スイッチの操作によって、モータまたはバネ力によりストロボをポップアップさせることが行われる。また、近年のカメラはストロボを用いた撮影において、複数の発光モードを備えており、その撮影条件に応じて、発光禁止、自動発光（オート）、赤目軽減、スローシンクロ等の機能を選択し切り替えるモードスイッチも備えている。
【０００３】
また、ポップアップストロボを内蔵するカメラでは、ポップアップさせるための手動スイッチと、発光モードの選択切替えを行うためのモードスイッチが全く別個に設けられていたが、ポップアップ操作と発光モードの切替え操作を、１つのスイッチで共用することにより、ボタン操作の簡略化、および部品点数を削減するといった技術も既に知られている。
【０００４】
例えば、特許文献１には、スイッチ類の数を減らすため、ポップアップ式のストロボ自体を押すことでバネ力により回動させポップアップするようにし、同時にストロボ自体を少し押して回動させることでモードの切替えを行うことが記載されている。
【０００５】
また、特許文献２には、ポップアップボタンのストロークの途中に切替スイッチ（モードスイッチ）を配置し、発光ユニットが突出位置にあるときに操作されるとストロボモードの切替えを行うこと、そして特許文献３には、特許文献２の構成において、初回のポップアップと同時にストロボモードの切替えが行われないように制御することが記載されている。
【発明の概要】
【発明が解決しようとする課題】
【０００６】
しかしながら、このような従来のカメラでは、１つの操作部材で２種類の別の動作（ポップアップ係止解除、モード切替）を行っているため、特に、操作部材の移動量（ストローク）や力量において差異が生じることになる。この差異として、ポップアップ係止解除においては、メカ的に係止（ツメ）から外れるための十分な移動量や付勢する力量を確保する必要があり、また、モード切替においては、タクトスイッチのような通常の信号を検知する操作部材と同様に微小な移動量（ストローク）と力量にて操作可能である。
【０００７】
そして、この異なった操作性を１つの操作部材にて構成するためには、「長い移動量と大きな力量が必要な操作（ポップアップ係止解除）」を主とし、「微小な移動量と力量で十分な操作（モード切替）」を従属させることとなり、操作の感触などにおいて、従属側の操作（モード切替）における切り替わりのタイミングが分かり難いという問題があった。
【０００８】
また、従属側の切り替わりのタイミングが不明確であったため、従属側の操作（モード切替）だけを行いたい場合であっても、操作部材を完全に押し切り、もう一方の動作（ポップアップ係止解除）まで操作しなければいけない（あるいは、操作してしまうことになる）という問題もあった。また、モード切替のタイミングが不明確であることから、ストロボのポップアップを検知したときのみしかモード切替の操作ができないという問題もあった。
【０００９】
本発明は、前記従来技術の問題を解決するものであり、単一のスイッチとしたことで、従属的な操作であった発光モードの切替タイミングにおいて、スイッチ操作中にクリック感等の感触を使用者に与えるようにして、発光モードの切替えが作動したことを感触的に通知して、ポップアップ機構の係止が解除される位置まで操作しなくてもモード切替の操作を可能とし、また、モード切替の操作をタクトスイッチ等を使用した他の操作部材の力量と合わせることができ、カメラ全体としての操作感を向上させたカメラを提供することを目的とする。
【課題を解決するための手段】
【００１０】
前記の目的を達成するために、本発明の請求項１に係るカメラは、ストロボ発光部を収納状態から突出状態へと移動するポップアップ機構と、ストロボ発光部を突出状態とするために収納状態から解除するロック解除機構と、ストロボ発光部が突出状態とされたことを検知する検知スイッチと、ストロボ発光部の発光方法を選択切り替えるモードスイッチと、第１の位置においてモードスイッチを作動させ、第２の位置においてロック解除機構を作動させる単独の押圧操作部材と、モードスイッチが作動する第１の位置で押圧操作部材を一時的係止状態とするクリック部材とを備え、モードスイッチが作動状態となったことを一時的係止状態とすることで使用者に通知することを特徴とする。
【００１１】
この構成によって、押圧操作部材の移動において、第１の位置でのモードスイッチの作動と、第２の位置でのロック解除機構の作動することを判断でき、選択操作を確実に行うことができる。
【００１２】
また、請求項２に記載の発明は、請求項１のカメラにおいて、押圧操作部材を第１の位置とするときの押圧力および移動量が、当該カメラに設けられた他機能の操作部材の押圧力および移動量と同一となるようにしたことを特徴とする。
【００１３】
この構成によって、カメラ全体として統一した操作感を得ることができる。
【００１４】
また、請求項３に記載した発明は、請求項１，２のカメラにおいて、押圧操作部材が第２の位置でロック解除機構を作動させ、検知スイッチがストロボ発光部の突出状態を検知したとき、第１の位置でのモードスイッチの作動を所定期間無効とする機能を備えたことを特徴とする。
【００１５】
この構成によって、単独の押圧操作部材による操作においても、モードスイッチとロック解除機構の作動を個別に行うことができる。
【００１６】
また、請求項４に記載した発明は、請求項１〜３のカメラにおいて、押圧操作部材が第２の位置へ移動することなく、第１の位置でのモードスイッチの作動が可能であり、内部ストロボ発光部の発光方法を選択切り替えることを特徴とする。
【００１７】
この構成によって、内部ストロボ発光部の突出，収納状態に関わらずモードスイッチを作動させモード切替を行うことができる。
【００１８】
また、請求項５に記載した発明は、請求項１〜４のカメラにおいて、押圧操作部材が第２の位置へ移動することなく、第１の位置でのモードスイッチの作動が可能であり、外部ストロボ発光部の発光方法を選択切り替えることを特徴とする。
【００１９】
この構成によって、内部ストロボ発光部の突出，収納状態に関わらずモードスイッチを作動させ外部ストロボ発光部のモード切替を行うことができる。
【００２０】
また、請求項６に記載した発明は、請求項１〜５のいずれか１項に記載のカメラの構造が、カメラボディと撮像ユニットが別々にグレードアップしたり、撮影目的に応じて機能を特化した構成とできる着脱自在な構造体であることを特徴とする。
【００２１】
また、請求項７に記載した発明は、請求項６のカメラにおいて、カメラボディに撮像ユニットが装着されている状態において、撮像ユニットがストロボ発光部の下方に配置されることを特徴とする。
【発明の効果】
【００２２】
本発明によれば、ストロボの発光モードを切り替えるモードスイッチの作動を感触的に通知して作動タイミングを使用者に明確に伝え、ポップアップ係止解除するまでの操作をしなくてもモード切替の操作を可能として、ストロボ収納時であってもモードスイッチの操作のみができ、さらに、モードスイッチに係る操作をカメラ操作部材に使用した他の操作スイッチの力量と合わせ、カメラ全体として統一された操作感を与えることができるという効果を奏する。
【図面の簡単な説明】
【００２３】
【図１】本発明の実施形態における撮像システム（カメラ）の概略構成を示す斜視図
【図２】撮像システム（カメラ）の背面の概略構成を示す斜視図
【図３】撮像システムに搭載される電装部品のブロック図
【図４】撮像システムに搭載される電装部品の別構成のブロック図
【図５】撮像システムのストロボ発光部で（ａ）は収納状態、（ｂ）は突出状態を示す断面図
【図６】ストロボ発光部をポップアップ動作させる押圧操作部材、ロック解除機構の概略構成を示す分解斜視図
【図７】押圧操作部材とモードスイッチで（ａ）は部分斜視図、（ｂ）は状態変化を示す図
【図８】押圧操作部材の移動量（ストローク）と荷重のタイミングチャート
【図９】ストロボ発光部の検知スイッチ動作で（ａ）は収納状態、（ｂ）は突出状態を示す斜視図
【図１０】押圧操作部材によるモード切替動作のフローチャート
【図１１】ストロボ発光部を設けたカメラボディを示す斜視図
【図１２】カメラボディと撮像ユニットが着脱自在な構成とした撮像システムの斜視図
【発明を実施するための形態】
【００２４】
以下、図面を参照して本発明における実施の形態を詳細に説明する。
【００２５】
図１は本発明の実施形態における撮像システム（カメラ）の概略構成を示す斜視図である。本実施形態の撮像システムは、カメラボディ１と撮像ユニット２からなる。カメラボディ１は、背面壁構成体１Ｂ、側面壁構成体１Ｃおよび上面壁構成体１Ｄからなり、撮像ユニット２は、レンズ鏡胴３を有している。
【００２６】
また、背面壁構成体１Ｂと側面壁構成体１Ｃと上面壁構成体１Ｄとのいずれかには、カメラボディ１、撮像ユニット２を電気的に操作する操作部が設けられ、例えば上面壁構成体１Ｄには、操作部としてのレリーズボタン５ｙが設けられている。
【００２７】
上面壁構成体１Ｄは、照明手段としてのストロボ発光部５ｂがその右方に配設されている。なお、ストロボ発光部５ｂは上面壁構成体１Ｄに設け、このストロボ発光部５ｂを上面に設けることによって、撮像ユニット２のレンズの光軸よりも上側から被写体を照明することができ、被写体の照明を適切にできる。
【００２８】
側面壁構成体１Ｃには、膨出する膨出部１ｃを有し、グリップ部として用いられる。さらに、側面壁構成体１Ｃの内部には収納室が形成され、電池、撮像装置に要求される各種の電装部品が内蔵されている。すなわち、この収納室には、電池、操作部の操作により撮像ユニット２を制御するのに用いられる回路、撮像ユニット２により撮像された画像を処理する処理回路、撮像ユニット２により撮像されかつ処理回路により処理された画像を記録保存する記録媒体、電源回路、ストロボ制御回路、これらを構成する回路部品を搭載する回路基板等が収納される。
【００２９】
背面壁構成体１Ｂの背面には、図２に示すように、撮像ユニット２により撮像された画像を表示する表示面１ｂが設けられている。表示面１ｂには記録媒体に記録された画像が再生可能である。背面壁構成体１Ｂは側面壁構成体１Ｃに連続的につながっている。背面壁構成体１Ｂの大きさは表示面１ｂの大きさによって概略規定されるが、その表示面１ｂは背面壁構成体１Ｂに設けても、設けなくとも良く、さらに、ホットシュー部５ｄに装着可能な電子ビューファインダー１ｇを設けても良く、または併設しても良い。
【００３０】
次に、図３を参照しながらカメラボディ１と撮像ユニット２に搭載される電装部品について説明する。
【００３１】
カメラボディ１には、例えば、図３に示すように、リチウムイオンバッテリ２０４、ストロボ発光部２０７（５ｂ）、電子ビューファインダー装置２０９（１ｇ）、液晶表示装置（LCD）２１０、ハイビジョンテレビジョンコネクタインタフェース（HDMI IF）２１２、オーディオビデオ（AV Out）出力端子２１３、ＵＳＢインタフェース（USB IF）２１４、ＳＤカードインタフェース（SD Card）２１５、オーディオコーデック回路（Audio Codec）２１６、スピーカ２１７、マイクロフォン２１８、フラッシュＲＯＭ（Flash ROM）２１９、ＤＤＲ−ＳＤＲＡＭ２２０、メインＣＰＵ２０８、操作スイッチ２０６,２１１、サブＣＰＵ（Sub CPU）２０５、ＤＣ／ＤＣ電源回路２０３、スイッチング素子２０２、コネクタ部としてのコネクタ端子２０１が設けられている。
【００３２】
これらは、撮像装置としてのカメラに要求される公知の機能を有する電装部品の一部を構成している。その操作スイッチ２０６は例えばレリーズボタン（シャッタースイッチ）５ｙであり、操作スイッチ２１１は例えば液晶表示装置（LCD）２１０等を操作する操作キー５ｚである。その液晶表示装置（LCD）２１０は例えば背面壁構成体１Ｂに設けられている。その操作スイッチ２１１はその背面壁構成体１Ｂの適宜箇所に設けられる。
【００３３】
撮像ユニット２の筐体２ａには、光学系としての撮像レンズユニット１０７、撮像素子１０８、ＡＦＥ回路１０９、ホール素子（Hall element）１０４、駆動コイル（Coil）１０５、ジャイロセンサ（Gyro sensor）１０６、駆動ドライバ（Motor Driver）１１１、駆動モータ（Ｍ）１１０、加速度検出センサ１１２、テレワイド検出スイッチ１１３、コネクタ部１１としてのコネクタ端子１１６が設けられている。
【００３４】
これらも撮像装置としてのカメラに要求される公知の機能を有する電装部品の一部を構成している。その撮像レンズユニット１０７は複数個のレンズを有し、この複数個のレンズの一部はレンズ鏡胴３に設けられている。
【００３５】
なお、駆動モータ（Ｍ）１１０、駆動ドライバ１１１を撮像ユニット２に設ける構成として説明しているが、これらはカメラボディ１に設ける構成とすることもできる。
【００３６】
ここでは、撮像ユニット２にはカメラボディ１から電源電力が供給される。例えば、ホール素子１０４、駆動コイル１０５、ジャイロセンサ１０６は手ぶれ補正機構の一部を構成している。この手ぶれ補正機構の信号はコネクタ端子１１６、２０１を介してメインＣＰＵ２０８に入力され、メインＣＰＵ２０８はこれらの信号に基づき手ぶれ補正処理を実行する。手ぶれ補正処理は、手ぶれによって発生する撮像素子の受光面上に投影される画像のぶれを補正する処理である。例えば、ジャイロセンサ１０６により検出したぶれの方向と反対の方向に撮像素子を駆動する処理であっても良いし、また、ジャイロセンサ１０６により検出したぶれの方向と同一の方向に撮像レンズユニット１０７の一部の光学素子を駆動する処理であっても良い。
【００３７】
撮像素子１０８の映像信号はＡＦＥ回路１０９を介してメインＣＰＵ２０８に入力され、所定の画像処理が施されてＬＣＤ２１０等に表示される。
【００３８】
テレワイド検出スイッチ１１３はコネクタ端子１１６，２０１を介してメインＣＰＵ２０８に入力され、メインＣＰＵ２０８はテレワイド検出スイッチ１１３、操作スイッチ２１１等のスイッチ信号に基づいて駆動ドライバ１１１、駆動モータ１１０を制御し、これにより、撮像レンズユニット１０７を駆動制御する。
【００３９】
加速度センサ１１２の検出出力は、コネクタ端子１１６，２０１を介してメインＣＰＵ２０８に入力され、メインＣＰＵ２０８はその加速度センサ１１２の検出出力に基づいてＬＣＤ２１０に表示される画像の傾きを制御する。ＬＣＤ２１０には、加速度センサ１１２の検出出力に基づいて、水平に対する撮像ユニット２の傾き具合が表示される。水平に対する撮像ユニット２の傾き具合は、数値による表示であっても、映像による表示でも良い。
【００４０】
また、撮像ユニット２には、図４に示すように、ＤＣ／ＤＣ電源回路１０１、サブＣＰＵ１０２、メインＣＰＵ１０３、フラッシュＲＯＭ１１４、ＤＤＲＳＤＲＡＭ１１５を設け、メインＣＰＵ１０３で画像処理を行った後、コネクタ端子１１６，２０１を介して画像処理信号をメインＣＰＵ２０８に送信する構成を採用することもできる。メインＣＰＵ１０３でＪＰＥＧ等のフォーマットへの圧縮処理を行い、コネクタ端子１１６，２０１を介して圧縮された画像データをメインＣＰＵ２０８に送信する構成を採用することもできる。このように、撮像ユニット２で画像処理、または、圧縮処理を行う構成とすると、ノイズの少ない安定した画像をカメラボディ１のメインＣＰＵ２０８に送信することができる。
【００４１】
図５は本実施形態の撮像システムに設けたストロボ発光部で（ａ）は収納状態、（ｂ）は突出状態を示す断面図であり、図６はストロボ発光部のポップアップ動作させる押圧操作部材を中心としたロック解除機構の概略構成を示す分解斜視図である。
【００４２】
図５（ａ）に示すように、ストロボ発光部５ｂの一部が収納状態において、押圧操作部材２１の係合爪２１ｂによりポップアップ係止部２２でロックされており、この押圧操作部材２１の係合爪２１ｂが移動することで、ロックが解除される。これにより、ポップアップ付勢バネ２２ａがストロボの突出状態（図５（ｂ）参照）とする。
【００４３】
ポップアップ機構のロック解除機構として移動する押圧操作部材２１は、図６に示す受台にクリック部材２３と、ポップアップ機構を回動させるとともに、突出状態とするポップアップ付勢バネ２２ａを取り付ける軸受からなる。そして、押圧操作部材２１には、ポップアップ係止部２２のロック解除する第２の位置と、この第２の位置に達するまでに後述するモードスイッチを作動させる第１の位置を有している。
【００４４】
そして、クリック部材２３には、押圧操作部材２１の第１の位置において、押圧操作部材２１を一時的係止状態とするバネ部２３ａを有している。このバネ部２３ａにより、押圧操作部材２１が移動して第１の位置に達し、モードスイッチが作動したことをクリック感等として、使用者に通知することができる。
【００４５】
図７は押圧操作部材とモードスイッチの（ａ）は部分斜視図、（ｂ）は状態変化を示す図であり、図８には押圧操作部材の移動量（ストローク）と荷重のタイミングチャートを示す。図７（ａ），（ｂ）と図８により、押圧操作部材２１が第１の位置に移動した状態について説明する。
【００４６】
モードスイッチ２４の作動は、使用者が操作する押圧力で押圧操作部材２１が移動し、初期位置からモード切替位置（第１の位置でストローク：０．２５〜０．３０ｍｍ）のときにオンとなる。この状態を使用者に通知するため、クリック部材２３のバネ部２３ａによって、押圧操作部材２１を介し使用者の押圧力に抗して、例えば１．７Ｎ当たりの操作力量を目標に、その前後に一時的な負荷（係止状態）約０．３Ｎを加える。
【００４７】
この一時的係止状態は、押圧操作部材２１をさらに押圧し続けることで解除され、使用者にはクリック感として感触的に通知される。また一時的係止状態は、モードスイッチ２４に接触するときと同じタイミング、または直前、または直後のストローク位置に持たせれば良い。また、使用者に通知するクリック感としては、例えば液晶表示部等を操作する前述の図２に示した操作キー５ｚと同等の操作感を得られるようにする。これにより、カメラ全体として統一した操作感を得ることができる。
【００４８】
また、押圧操作部材２１の操作において、発光モードを切り替えるモードスイッチ２４の作動タイミングを知ることができるため、ポップアップ機構を作動させることなくモードスイッチ２４のみを作動させることが可能となる。
【００４９】
また、図９はストロボ発光部の検知スイッチ動作で（ａ）は収納状態、（ｂ）は突出状態を示す斜視図であり、図１０は押圧操作部材のモードスイッチによるモード切替動作のフローチャートである。
【００５０】
図９（ａ），（ｂ）を参照しながら図１０のフローチャートに基づき、押圧操作部材２１とモードスイッチ、検知スイッチについて、ストロボ発光部５ｂが突出状態と収納状態それぞれの動作を説明する。
【００５１】
図９（ａ）のストロボ発光部５ｂが、ポップアップ係止部２２により収納状態であるとき、検知スイッチ２５はオフである。押圧操作部材２１の操作によって、ポップアップ係止部２２のロック解除でストロボ発光部５ｂが突出状態となると（図９（ｂ）参照）、検知スイッチ２５は作動レバー２６によってオンとなる。この状態を、例えばストロボ制御回路に通知する。
【００５２】
いま、ストロボ発光部５ｂが収納状態で、使用者がストロボ撮影をするために、押圧操作部材２１を押圧すると、前述の図７（ｂ）に示したモード切替位置に移動する。これによりモードスイッチ２４が作動する（Ｓ１）。次に、ストロボ発光部５ｂの突出状態であるか否か（検知スイッチ２５の状態）の確認をする（Ｓ２）。収納状態でありオフのため（Ｓ２のＮｏ）、さらに図７（ｂ）のポップアップ位置まで押圧操作部材２１が押圧され、ポップアップ係止部２２が解除されて検知スイッチ２５がオンとなったか否かを確認する（Ｓ３）。
【００５３】
前述の処理Ｓ１において、モードスイッチ２４が作動しても直ちにその処理を実行するのではなく、処理Ｓ３の検知スイッチ２５の確認を行うための処理時間として、任意の時間（例えば、１秒）の遅れを持って処理を開始させるために、モードスイッチ２４の作動を無効とする手段を備えている。
【００５４】
処理Ｓ３において、検知スイッチ２５がオンとなったとき（Ｓ３のＹｅｓ）、この押圧操作部材２１の操作が発光モードの切替処理ではなく、ストロボ発光部５ｂを突出状態とするための操作と判断し、処理Ｓ１におけるモードスイッチ２４の作動を無効とする（Ｓ４）。
【００５５】
これにより、ストロボ発光部５ｂのロック解除の作動を目的とした場合に、モードスイッチ２４の作動による切替処理をさせることなく、ストロボ発光部５ｂを突出状態とすることができる。
【００５６】
また、処理Ｓ３において、検知スイッチ２５がオンとならなかったとき（Ｓ３のＮｏ）、ストロボ発光部５ｂを突出状態とするための操作ではなく、発光モードの切替処理と判断し、処理Ｓ１におけるモードスイッチ２４の作動を有効とする（Ｓ５）。
【００５７】
この処理として、例えばホットシュー部５ｄ（図１参照）に装着された外部ストロボ等に対し、カメラに内蔵したストロボ発光部５ｂを突出状態とすることなく、同様な発光モードの切替指示をするような場合に有効である。
【００５８】
また、処理Ｓ１でモードスイッチ２４が作動したとき、ストロボ発光部５ｂが突出状態であった場合、検知スイッチ２５はオン状態であり（Ｓ２のＹｅｓ）、この場合も押圧操作部材２１がさらに押圧され、検知スイッチ２５がオフとなったか否かを確認する（Ｓ６）。
【００５９】
処理Ｓ６において、検知スイッチ２５がオフとなったとき（Ｓ６のＹｅｓ）、この押圧操作部材２１の操作が発光モードの切替処理ではなくストロボ発光部５ｂを収納状態とするための操作と判断し、処理Ｓ１におけるモードスイッチ２４の作動を無効とする（Ｓ７）。これは、図５（ａ），（ｂ）に示すように、ストロボ発光部５ｂを突出状態から収納状態とするとき、ポップアップ係止部２２において、押圧操作部材２１の係合爪２１ｂが第２の位置まで移動されるためである。
【００６０】
また、処理Ｓ６において、検知スイッチ２５がオフとならなかったとき（Ｓ６のＮｏ）、ストロボ撮影の発光モードの切替処理と判断し、処理Ｓ１におけるモードスイッチ２４の作動を有効とする（Ｓ８）。
【００６１】
このように、本実施形態によれば、ポップアップ機構によりストロボ発光部５ｂを突出状態とする操作と、ストロボを用いた個々の撮影に応じた複数の発光モード（発行禁止、自動発行（オート）、赤目軽減、強制発光、スローシンクロ等）を選択し切り替える操作との２種類の別動作を、従来の課題を解決した１つの押圧操作部材２１により行うことができる。
【００６２】
また、図１１は本実施形態のストロボ発光部を設けたカメラボディを示す斜視図であり、図１２はカメラボディと撮像ユニットが着脱自在な構成とした撮像システムの斜視図である。
【００６３】
図１１に示すように、本実施形態のストロボ発光部５ｂは撮像ユニット１の上面壁構成体１Ｄに配置されて好適に薄く構成されている。例えば、図７（ａ）の押圧操作部材２１に対し、クリック部材２３と操作性にクリック感を与えるバネ部２３ａ，モードスイッチ２４を側部に配置して高さを抑えている。また同様に、図９（ｂ）に示すストロボ発光部５ｂの突出状態において、検知スイッチ２５がオンとするための作動レバー２６を配置している。
【００６４】
ここで、本実施形態のストロボ発光部を搭載するカメラボディと撮像ユニットが着脱自在な撮像システムについて、図１２を参照しながら簡単に説明する。
【００６５】
図１２の撮像システムにおいても、前述の図１，図２において説明したように、撮像システムのカメラボディ１は、背面壁構成体１Ｂ、側面壁構成体１Ｃおよび上面壁構成体１Ｄからなり、撮像ユニット２は、レンズ鏡胴３を有している。また、カメラボディ１と撮像ユニット２に搭載される電装部品等についても前述したとおりである。そして、撮像ユニット２は、カメラボディ１に対して着脱可能とされている。この構成によって、カメラボディ１と撮像ユニット２とを別々にグレードアップしたり、撮影目的に応じて機能を特化した構成としたりすることが可能となる。
【００６６】
カメラボディ１は、図１２に示すように、筐体２ａの配設空間としての凹部１Ａを有する。背面壁構成体１Ｂは筐体２ａの装着時にその背面に対面する背面壁４を有し、撮像ユニット２の凹部１Ａへの非配設時に外部に露呈されている。その背面壁４は、筐体２ａを背面から見たときに、筐体２ａの背面形状に対応する概略長方形状の輪郭形状である。
【００６７】
図１２の符号４ａは筐体２ａの背面の左右方向に延びる上辺部に対応する背面壁４の上辺部を示し、符号４ｂは筐体２ａの背面の左右方向に延びる下辺部に対応する背面壁４の下辺部を示し、符号４ｃは筐体２ａの背面の上下方向に延びる左辺部に対応する背面壁４の左辺部を示し、符号４ｄは筐体２ａの背面の上下方向に延びる右辺部に対応する背面壁４の右辺部を示している。
【００６８】
凹部１Ａは、背面壁４と上面壁５と側面壁６とで輪郭形状が規定され、この凹部１Ａは、筐体２ａが配設されたときにその筐体２ａの残余の面としての下面が位置する下方と、右側面が位置する右側方と、正面が位置する前方との三方向に向かってが開放されている。
【００６９】
この凹部１Ａには、大きさの異なるレンズ鏡胴３や大きさの異なる撮像ユニット２が交換可能に配設される。また、背面壁構成体１Ｂには、背面壁４の一部を構成するベース板８とロック手段としてのロックピン９とが設けられ、ベース板８にはロックピン９を案内する小判形状の案内溝１０が形成されて、ロックピン９は案内溝１０を介して凹部１Ａに向かって突出されている。
【００７０】
図示しないが、このロックピン９に対応する部材が撮像ユニット２に設けられ、さらに、他の係合部材等によって、カメラボディ１と撮像ユニット２は接続固定される。これらの機構については、本発明の要旨ではないので説明は省略する。
【００７１】
また、カメラボディ１と接続する撮像ユニット２には、上下方向に延びるコネクタ部１１としての差し込みプラグが設けられ、この差し込みプラグは電気回路が配線されたプラグ基板セット（図示を略す）に固定されている。このプラグ基板セットは撮像ユニット２の内部にフローティング構造で配置されている。
【００７２】
このフローティング構造によって、カメラボディ１に撮像ユニット２を装着してコネクタ部１１とコネクタ部１２との電気的接合を図る際、取り付け誤差を吸収緩和し、コネクタ部１１とコネクタ部１２とを嵌合させる際に加わる応力を緩和する。コネクタ部１１とコネクタ部１２としては、図３，図４に示したコネクタ端子２０１，１１６を対応させることができる。
【産業上の利用可能性】
【００７３】
本発明に係るカメラは、ストロボの発光モードを切り替えるモードスイッチの作動を感触的に通知して作動タイミングを使用者に明確に伝え、ロック解除の操作をすることなくモード切替の操作ができ、ストロボ収納時であってもモードスイッチの操作のみができ、さらに、モードスイッチに係る操作をカメラ操作部材に使用した他の操作スイッチの力量と合わせ、カメラ全体として統一された操作感を与えることができ、本体収納部から出し入れ自在な発光部を有するカメラに有用である。
【符号の説明】
【００７４】
１  カメラボディ
１Ａ  凹部
１Ｂ  背面壁構成体
１Ｃ  側面壁構成体
１Ｄ  上面壁構成体
２  撮像ユニット
２ａ  筐体
３  レンズ鏡胴
４  背面壁
５  上面壁
５ｂ  ストロボ発光部
５ｄ  ホットシュー部
５ｙ  レリーズボタン
５ｚ  操作キー
６  側面壁
２１  押圧操作部材
２１ａ  部材付勢バネ
２１ｂ  係合爪
２２  ポップアップ係止部
２２ａ  ポップアップ付勢バネ
２３  クリック部材
２３ａ  バネ部
２４  モードスイッチ
２５  検知スイッチ
２６  作動レバー
【先行技術文献】
【特許文献】
【００７５】
【特許文献１】特開２０００−１４７６１４号公報
【特許文献２】実開平５−４３１３８号公報
【特許文献３】実用新案登録第２５９１５０３号公報
【図１】
2010181781.tif 000003
【図２】
2010181781.tif 000004
【図３】
2010181781.tif 000005
【図４】
2010181781.tif 000006
【図５】
2010181781.tif 000007
【図６】
2010181781.tif 000008
【図７】
2010181781.tif 000009
【図８】
2010181781.tif 000010
【図９】
2010181781.tif 000011
【図１０】
2010181781.tif 000012
【図１１】
2010181781.tif 000013
【図１２】
2010181781.tif 000014